【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
復号済ビデオデータを処理する方法であって、
ビデオ復号ユニットが、現在のディスプレイのピーク輝度値を決定することと、
前記ビデオ復号ユニットが、ビデオデータのピクチャについて、ピーク輝度値のセットのそれぞれのピーク輝度値に各々対応する１つまたは複数の色再マッピング情報（ＣＲＩ）付加拡張情報（ＳＥＩ）メッセージを取得することと、ここにおいて、前記ＣＲＩ ＳＥＩメッセージの各それぞれのＣＲＩ ＳＥＩメッセージは、前記それぞれのピーク輝度値を示すそれぞれのcolour_remap_idシンタックス要素を含む、
前記ＣＲＩ ＳＥＩメッセージのそれぞれのＣＲＩ ＳＥＩメッセージごとに、前記それぞれのＣＲＩ ＳＥＩメッセージに含まれる前記それぞれのcolour_remap_idシンタックス要素の値に基づいて、前記それぞれのピーク輝度値を決定することと、
前記ビデオ復号ユニットが、前記現在のディスプレイの前記ピーク輝度値に基づいて、前記１つまたは複数のＣＲＩ ＳＥＩメッセージのうちの１つのＣＲＩ ＳＥＩメッセージを選択することと、
前記ビデオ復号ユニットが、前記選択されたＣＲＩ ＳＥＩメッセージに基づいて、前記ビデオデータのピクチャのサンプルを色再マッピングすることと、
前記ビデオ復号ユニットが、前記現在のディスプレイでの表示のために、前記ビデオデータのピクチャの前記色再マッピングされたサンプルを出力することと
を備える方法。
【請求項２】
前記１つまたは複数のＣＲＩ ＳＥＩメッセージのうちの特定のＣＲＩ ＳＥＩメッセージに対応する前記ピーク輝度値を次式：
【数１】
2019527996.tif 000001
に従って決定すること
をさらに備え、
ここにおいて、ＴｍｌＮは、前記特定のＣＲＩ ＳＥＩメッセージに対応する前記ピーク輝度値であり、colour_remap_idNは、前記特定のＣＲＩ ＳＥＩメッセージに含まれる前記colour_remap_idシンタックス要素であり、ｃｅｉｌは、切上げ関数である、請求項１に記載の方法。
【請求項３】
前記ビデオデータのピクチャは、コード化されたビデオビットストリーム中に、ビデオデータの現在のイントラランダムアクセスポイント（ＩＲＡＰ）ピクチャを備え、前記方法は、
前記ビデオ復号ユニットが、前記コード化されたビデオビットストリーム中のビデオデータの各後続のＩＲＡＰピクチャについて、同じピーク輝度値のセットのそれぞれのピーク輝度値に各々対応する１つまたは複数のＣＲＩ ＳＥＩメッセージを含むＣＲＩ ＳＥＩメッセージのそれぞれのセットを取得すること
をさらに備える、請求項１に記載の方法。
【請求項４】
前記選択されたＣＲＩ ＳＥＩに基づいて、前記メッセージの情報が前記ビデオデータのピクチャの復号済サンプルに適用されるべきか、前記復号済サンプルの処理後の前記復号済サンプルに適用されるべきかを決定すること
をさらに備える、請求項１に記載の方法。
【請求項５】
前記選択されたＣＲＩ ＳＥＩメッセージの前記それぞれのcolour_remap_idシンタックス要素に基づいて、前記選択されたＣＲＩ ＳＥＩメッセージの情報が、前記Ｙ’ＣｂＣｒドメインにある前記ビデオデータのピクチャの復号済サンプルに適用されるべきか、前記ＲＧＢドメインへの前記復号済サンプルの変換後の前記復号済サンプルに適用されるべきかを決定すること
をさらに備える、請求項４に記載の方法。
【請求項６】
前記ＣＲＩ ＳＥＩメッセージを選択することは、
前記ビデオ復号ユニットが、前記現在のディスプレイの前記ピーク輝度値と、前記現在のディスプレイの色域および前記現在のディスプレイによってサポートされている伝達関数のうちの一方または両方とに基づいて、前記ＣＲＩ ＳＥＩメッセージを選択すること
を備える、請求項１に記載の方法。
【請求項７】
ビデオデータを符号化する方法であって、
ビデオエンコーダが、ビットストリームにおいて、ビデオデータのピクチャについてのサンプル値を符号化することと、
前記ビデオエンコーダが、前記ビットストリームにおいて、前記ビデオデータのピクチャについての１つまたは複数の色再マッピング情報（ＣＲＩ）付加拡張情報（ＳＥＩ）メッセージを符号化することと、前記色再マッピングメッセージの各々は、ピーク輝度値のセットのそれぞれのピーク輝度値に対応し、前記それぞれのＣＲＩ ＳＥＩメッセージが対応する前記ピーク輝度値を示すそれぞれのcolour_remap_idシンタックス要素を含む、
前記ビデオエンコーダが、前記ビットストリームを出力することと
を備える方法。
【請求項８】
前記１つまたは複数のＣＲＩ ＳＥＩメッセージのうちの特定のＣＲＩ ＳＥＩメッセージのcolour_remap_idシンタックス要素を符号化することは、前記特定のcolour_remap_idシンタックス要素の値を次の関係性：
【数２】
2019527996.tif 000002
に従って、符号化することを備え、
ここにおいて、ＴｍｌＮは、前記特定のＣＲＩ ＳＥＩメッセージに対応する前記ピーク輝度値であり、colour_remap_idNは、前記特定のＣＲＩ ＳＥＩメッセージに含まれる前記colour_remap_idシンタックス要素であり、ｃｅｉｌは、切上げ関数である、請求項７に記載の方法。
【請求項９】
前記それぞれのピーク輝度値は、最大光度１００ニトから最大光度１００００ニトまでの間にあるそれぞれの値を有する、請求項１または７に記載の方法。
【請求項１０】
前記ビデオデータのピクチャは、ビデオデータの現在のイントラランダムアクセスポイント（ＩＲＡＰ）ピクチャを備え、前記方法は、
前記ビデオエンコーダが、ビデオデータの各後続のＩＲＡＰピクチャについて、同じピーク輝度値のセットのそれぞれのピーク輝度値に各々対応する１つまたは複数のＣＲＩ ＳＥＩメッセージを含むＣＲＩ ＳＥＩメッセージのそれぞれのセットを符号化すること
をさらに備える、請求項７に記載の方法。
【請求項１１】
前記ＣＲＩ ＳＥＩメッセージの各それぞれのＣＲＩ ＳＥＩメッセージは、
１０の値を有するそれぞれのcolour_remap_input_bit_depthシンタックス要素
をさらに含む、請求項３または１０に記載の方法。
【請求項１２】
前記１つまたは複数のＣＲＩ ＳＥＩメッセージの各それぞれのメッセージにおいて、ビデオ復号ユニットが前記それぞれのメッセージの情報を前記ビデオデータのピクチャの復号済サンプルに適用すべきか、前記復号済サンプルの処理後の前記復号済サンプルに適用すべきかを示すインジケーションを符号化すること
をさらに備える、請求項７に記載の方法。
【請求項１３】
特定のＣＥＩ ＳＥＩメッセージについての前記インジケーションを符号化することは、
前記それぞれのＣＲＩ ＳＥＩメッセージに対応する前記ピーク輝度値と、前記ビデオ復号ユニットが前記選択されたＣＲＩ ＳＥＩメッセージの前記情報を前記Ｙ’ＣｂＣｒドメインにある前記ビデオデータのピクチャの復号済サンプルに適用すべきか、前記ＲＧＢドメインへの前記復号済サンプルの変換後の前記復号済サンプルに適用すべきかの両方を示す値を有する前記特定のＣＲＩ ＳＥＩメッセージについての前記colour_remap_idシンタックス要素を符号化すること
を備える、請求項１２に記載の方法。
【請求項１４】
復号ビデオデータを処理するためのデバイスであって、
ビデオデータを記憶するように構成されたメモリと、
ビデオ復号ユニットと
を備え、前記ビデオ復号ユニットは、
現在のディスプレイのピーク輝度値を決定することと、
前記ビデオデータのピクチャについて、ピーク輝度値のセットのそれぞれのピーク輝度値に各々対応する１つまたは複数の色再マッピング情報（ＣＲＩ）付加拡張情報（ＳＥＩ）メッセージを取得することと、ここにおいて、前記ＣＲＩ ＳＥＩメッセージの各それぞれのＣＲＩ ＳＥＩメッセージは、前記それぞれのピーク輝度値を示すそれぞれのcolour_remap_idシンタックス要素を含む、
前記ＣＲＩ ＳＥＩメッセージのそれぞれのＣＲＩ ＳＥＩメッセージごとに、前記それぞれのＣＲＩ ＳＥＩメッセージに含まれる前記それぞれのcolour_remap_idシンタックス要素の値に基づいて、前記それぞれのピーク輝度値を決定することと、
前記現在のディスプレイの前記ピーク輝度値に基づいて、前記１つまたは複数のＣＲＩ ＳＥＩメッセージのうちの１つのＣＲＩ ＳＥＩメッセージを選択することと、
前記選択されたＣＲＩ ＳＥＩメッセージに基づいて、前記ビデオデータのピクチャのサンプルを色再マッピングすることと、
前記現在のディスプレイでの表示のために、前記ビデオデータのピクチャの前記色再マッピングされたサンプルを出力することと
をするように構成される、デバイス。
【請求項１５】
ビデオデータを符号化するためのデバイスであって、
前記ビデオデータを記憶するように構成されたメモリと、
ビデオ符号化ユニットと
を備え、ビデオ符号化ユニットは、
ビットストリームにおいて、ビデオデータのピクチャについてのサンプル値を符号化することと、
前記ビットストリームにおいて、前記ビデオデータのピクチャについての１つまたは複数の色再マッピング情報（ＣＲＩ）付加拡張情報（ＳＥＩ）メッセージを符号化することと、前記ＣＲＩ ＳＥＩメッセージの各々は、ピーク輝度値のセットのそれぞれのピーク輝度値に対応し、前記それぞれのＣＲＩ ＳＥＩメッセージが対応する前記ピーク輝度値を示すそれぞれのcolour_remap_idシンタックス要素を含む、
前記ビットストリームを出力することと
をするように構成される、デバイス。